(57)【要約】      （修正有）【課題】使用前，使用中は勿論のこと、メモなどでの使用済後でも図柄，写真，デザインなどが室内の装飾として使用者の使用感を満足できる可能な磁気吸着メモを提供する。【解決手段】図柄，写真，デザインなど、好みの印刷を施した表面に続き、多数枚の紙を互いに粘着剤で仮止めした付箋体３の基板に、粘着力を異にする両面テープ５により粘着力の強い面を貼着し、粘着力の弱い面をマグネットシート７の表面の表紙１に関連した印刷面６に剥離自在に貼接させて成ることを特徴とする磁気吸着メモ。【選択図】図３
0003142102.tif 000002
【実用新案登録請求の範囲】
【請求項１】
図柄，写真，デザインなど、好みの印刷を施した表面に続き、多数枚の紙を互いに粘着剤で仮止めした付箋体の基板に、粘着力を異にする両面テープにより粘着力の強い面を貼着し、粘着力の弱い面をマグネットシートの表面の表紙に関連した印刷面に剥離自在に貼接させて成ることを特徴とする磁気吸着メモ。
【請求項２】
請求項１記載の多数枚の紙に、日付，曜日などの標記した日めくり，曜日めくり，月めくりの付箋体として形成して成ることを特徴とする磁気吸着メモ。
【考案の詳細な説明】
【技術分野】
【０００１】
本考案は、ホワイトボード，金属製家具など、帯磁性金属で形成された各種家具に簡単に着脱できる磁気吸着メモに関する。
【背景技術】
【０００２】
マグネットシートを用いた台紙上に、メモ用紙片の束を粘着させて使用するタックメモが知られている（例えば、特許文献１参照）。
【０００３】
また、動物などのキャラクタの頭部を分離して裏側に永久磁石を固着し、胴体部分を多数のメモ用紙として、このメモ用紙を前記頭部の磁気吸着力によりスチール壁面に固着させるキャラクタ伝言メモが知られている（例えば、特許文献２参照）。
【特許文献１】特開２００１−３１５４６６号公報
【特許文献２】特開平１０−６６６１号公報
【考案の開示】
【考案が解決しようとする課題】
【０００４】
特許文献１では、スチール壁面での磁気吸着力によりタックメモを支持固定できるのみで、台紙自体に格別なデザインが施されていないので、メモ使用後に使用者の使用心地を満足させることはない。
【０００５】
また特許文献２では、キャラクタを用いている点で、使用者の使用心地を充たすことができても、最後にはキャラクタの頭部だけが残り、使用者の完全な満足感は得られない。
【０００６】
本考案は叙上の点に着目して成されたもので、使用前，使用中は勿論のこと、メモなどでの使用済後でも図柄，写真，デザインなどが室内の装飾として使用者の使用感を満足できる可能な磁気吸着メモを提供できる。
【課題を解決するための手段】
【０００７】
この考案は下記の構成を備えることにより上記課題を解決できるものである。
【０００８】
（１）図柄，写真，デザインなど、好みの印刷を施した表面に続き、多数枚の紙を互いに粘着剤で仮止めした付箋体の基板に、粘着力を異にする両面テープにより粘着力の強い面を貼着し、粘着力の弱い面をマグネットシートの表面の表紙に関連した印刷面に剥離自在に貼接させて成ることを特徴とする磁気吸着メモ。
【０００９】
（２）前記（１）記載の多数枚の紙に、日付，曜日などの標記した日めくり，曜日めくり，月めくりの付箋体として形成して成ることを特徴とする磁気吸着メモ。
【考案の効果】
【００１０】
本考案によれば、付箋体として多数枚を、その都度文房具として、また生活中のメモ伝達などに使用できると共に、また、カレンダーとして日めくり，曜日めくり，月めくりなどの場合は、順次と付箋体を剥がして使用できる。
【００１１】
そして、マグネットシートの表面の印刷された表紙には、付箋体の基板に対し、両面テープの粘着力の弱い面を接合させているので、粘着力の強い面の基板はマグネットシートの表面の印刷された表紙の印刷面を剥取することなく付箋体を完全に使用させても印刷された表紙表面は美感を損なうことなくマグネットシート上に残すことができ、そのままスチール家具上に磁気吸着させて置くことができる。
【考案を実施するための最良の形態】
【００１２】
以下図面を参考にして本考案の実施例を説明する。
【実施例】
【００１３】
図１ないし図３は、文房具として使用できるデザイン付きの磁気吸着メモを示している。
【００１４】
１は表面の表紙であり、動物などの図柄，写真，デザインなどの好みの印刷２を施してある。図示では図案化されたイルカの図柄であり、したがって、イルカの形態に合わせて不定形の外形を備える。
【００１５】
３は、このイルカの表紙と外形を一致させた多数枚の紙４を粘着剤で仮止めして収束した付箋体、５は両面テープを示し、付箋体３の最下面の基板と仮止めする上側５１と下側５２とには、それぞれ粘着力の異なる粘着剤を形成してある。
【００１６】
６は表紙１と同形，同一模様を施した印刷面、７はその下部に一体的に固着させたマグネットシートを示す。８は表紙１を含め付箋体３を構成する仮止め部で反覆再利用可能の粘着剤塗布面を示す。
【００１７】
叙上の構成において、マグネットシート７を備えているので、スチール製家具やホワイトボードなど帯磁性金属を施した箇所上、好みの位置に磁気吸着できる。
【００１８】
表面の表紙１を剥離し、付箋体３を露出させて多数枚の紙を剥離して、メモ書きや書類の整理など各種文具として使用できる。
【００１９】
すべての付箋体３を使用した後には、表紙１の印刷２と同じ模様の印刷面６が現れるので、そのまま、または他の場所へ移動させて同様に磁気吸着させて、印刷面６を家具の装飾として、また使用者の趣味の壁掛模様として、そのまま利用できる。
【００２０】
また他のシート書面など、メモ書きした買物メモとして、この使用済みの印刷付きマグネットシートと壁面との間に介在させて、簡単なメモ押えとしても利用できる。
【００２１】
つぎに図４について説明する。
【００２２】
この実施例は、基本的に前記実施例の構成と同一である。異なる点は、前記実施例が専ら白紙の付箋体であるのに対し、この実施例では予め付箋体３Ａにカレンダーのように日めくり，曜日めくり，月めくりなどとして印刷されている点である。即ち、印刷面６Ａ，マグネットシート７の表面の印刷面６Ａの図案，デザインなどが相異する。
【００２３】
この実施例においても、特定の曜日めくりには、使用者の用途に応じて記録，メモなどを書き込みできると共に、用済み後はマグネットシートの磁気吸着力によって、その表面に印刷されたデザイン，模様，写真などの印刷面６Ａを家具などの模様としてそのまま貼着されて部屋を飾ることができる。
【図面の簡単な説明】
【００２４】
【図１】本考案の一実施例を示す文房具用の磁気吸着メモの平面図
【図２】（ａ）は図１の表紙を剥離した状態の平面図、（ｂ）はマグネットシートとその表面の印刷部分を一部切欠して示す平面図
【図３】図１を分離して示す縦断側面図
【図４】（ａ），（ｂ），（ｃ）は他の実施例で磁気吸着メモを月別カレンダーとして示す平面図、内部平面図、マグネットシートの表面印刷面を示す平面図
【符号の説明】
【００２５】
１    表紙
２    好みの印刷
３，３Ａ    付箋体
４    紙
５    両面テープ
６，６Ａ    印刷面
７    マグネットシート
８    仮止め部（粘着剤塗布面）
５１  上側
５２  下側
【図１】
0003142102.tif 000003
【図２】
0003142102.tif 000004
【図３】
0003142102.tif 000005
【図４】
0003142102.tif 000006